(57)【要約】      （修正有）【課題】衝撃力が入力しても、片持ちのてんぷ受けが大きく撓むのを防止又は抑制することができるてんぷ受けの支持構造を提供する。【解決手段】てんぷ受け３０は、一端部が固定され、中心部を挟んで一端部とは反対側においててん真２２の一端２２ｂを支持するとともに、一端部よりもてん真２２の一端を支持する部分に近い部分に、一端部を固定端としててんぷ受け３０が撓んだときのてん真２２を支持する穴石３２及び受け石３３における撓み量が、てん真２２がてんぷ受け３０から外れることのない範囲となるように、撓んだときに錘かな８２ｂに突き当たることによりてんぷ受け３０の撓みを規制する規制部３１ｂが形成されている。【選択図】図３
0003230221.tif 000002
【実用新案登録請求の範囲】
【請求項１】
てん真の一端を回転自在に支持するてんぷ受けを支持する、機械式時計におけるてんぷ受けの支持構造であって、
前記てんぷ受けは、一端部が固定され、中心部を挟んで前記一端部とは反対側において前記てん真の一端を支持するとともに、前記一端部よりも前記てん真の一端を支持する部分に近い部分に、前記一端部を固定端として前記てんぷ受けが撓んだときの前記てん真を支持する部分における撓み量が、前記てん真が前記てんぷ受けから外れることのない範囲となるように、撓んだときに他の部材に突き当たることにより前記てんぷ受けの撓みを規制する規制部が形成されている、機械式時計におけるてんぷ受けの支持構造。
【請求項２】
前記てんぷ受けは、前記一端部が機械式時計の外周側に配置され、前記規制部が前記機械式時計の中心部側に配置され、
前記規制部は、前記機械式時計が備えた回転錘の錘かなの裏側に、前記機械式時計の厚さ方向に沿って、前記錘かなとの間に所定の間隔を以て配置されていることにより、前記てんぷ受けの撓みを規制する、請求項１に記載の機械式時計におけるてんぷ受けの支持構造。
【請求項３】
前記規制部は、前記てん真を支持する部分を挟んで前記一端部とは反対側の領域に形成されている、請求項１又は２に記載の機械式時計におけるてんぷ受けの支持構造。
【請求項４】
前記規制部及び前記他の部材のうち少なくとも一方の、他方に突き当たる面に、突き当たるときの衝撃力を緩和する弾性部材が配置されている、請求項１から３のうちいずれか１項に記載の機械式時計におけるてんぷ受けの支持構造。 
【考案の詳細な説明】
【技術分野】
【０００１】
本考案は、機械式時計におけるてんぷ受けの支持構造に関する。
【背景技術】
【０００２】
機械式時計は、時計の歩度を規定する調速装置としててんぷを備えている。てんぷは、車輪状のてんわと、ひげゼンマイと、てんわの中心に固定された軸であるてん真と、を備えている。てんぷは、てん真の一端が地板のホゾ穴に、他端がてんぷ受けのホゾ穴に、それぞれ挿入されることにより支持されている。
【０００３】
ここで、てんぷ受けは、片持ちで支持されているものもある。つまり、てんぷ受けの一端部側は、ムーブメントの地板等の不動の部材に固定され、固定されていない他端部側でてん真の一端を支持している。
【先行技術文献】
【特許文献】
【０００４】
【特許文献１】特開２０２０−００３４２７号公報
【考案の概要】
【考案が解決しようとする課題】
【０００５】
ここで、例えばダイバーズ・ウォッチのように、通常の環境よりも過酷な環境で用いられる時計は、強い衝撃が加わる機会もあり、その入力された衝撃力の影響により、てんぷ受けの、固定端を中心とする撓みが大きくなることがある。そして、この撓みによって、てん真の軸方向に沿った地板とてんぷ受けとの間の距離が所定量よりも大きくなると、てん真が外れたり、本来の支持された状態に対して傾いたりすることがある。このような状態のてんぷは、計時の精度が低下する。
【０００６】
本考案は上記事情に鑑みなされたものであって、衝撃力が入力しても、片持ちのてんぷ受けが大きく撓むのを防止又は抑制することができるてんぷ受けの支持構造を提供することを目的とする。
【課題を解決するための手段】
【０００７】
本考案は、てん真の一端を回転自在に支持するてんぷ受けを支持する、機械式時計におけるてんぷ受けの支持構造であって、前記てんぷ受けは、一端部が固定され、中心部を挟んで前記一端部とは反対側において前記てん真の一端を支持するとともに、前記一端部よりも前記てん真の一端を支持する部分に近い部分に、前記一端部を固定端として前記てんぷ受けが撓んだときの前記てん真を支持する部分における撓み量が、前記てん真が前記てんぷ受けから外れることのない範囲となるように、撓んだときに他の部材に突き当たることにより前記てんぷ受けの撓みを規制する規制部が形成されている、機械式時計におけるてんぷ受けの支持構造である。
【考案の効果】
【０００８】
本考案に係る機械式時計におけるてんぷ受けの支持構造によれば、衝撃力が入力しても、片持ちのてんぷ受けが大きく撓むのを防止又は抑制することができる。
【図面の簡単な説明】
【０００９】
【図１】本考案の一実施形態の機械式時計におけるてんぷ受けの支持構造を有するムーブメントを、機械式時計の裏蓋側から見た平面図（回転錘のうち錘かなのみを表示した状態）である。
【図２】図１に示したムーブメントを、機械式時計の裏蓋側から見た平面図（回転錘の全体を表示した状態）である。
【図３】図２におけるＡ−Ａ線に沿った断面を示す断面図である。
【考案を実施するための形態】
【００１０】
以下、本考案に係る機械式時計におけるてんぷ受けの支持構造の実施形態について、図面を参照して説明する。図１，２は本考案の一実施形態の機械式時計におけるてんぷ受け３０の支持構造を有するムーブメント１０を、機械式時計の裏蓋側から見た平面図であり、図１は自動巻き用の回転錘８０のうち錘かな８２のみを表示した状態、図２は回転錘８０の全体を表示した状態である。図３は図２におけるＡ−Ａ線に沿った断面を示す断面図である。
【００１１】
本実施形態の機械式時計におけるてんぷ受け３０の支持構造は、機械式時計のムーブメント１０に備えられている。ムーブメント１０には、図１〜３に示すように、機械式時計の精度を規定するてんぷ２０が設けられている。
【００１２】
てんぷ２０は、車輪状のてんわ２１と、ひげゼンマイ２３と、てんわ２１の中心に固定された軸であるてん真２２と、を備えている。てんぷ２０は、図３に示すように、てん真２２の一端２２ａが地板４０に支持され、てん真２２の他端２２ｂがてんぷ受け３０に支持されて、地板４０とてんぷ受け３０との間で、回転（往復動）自在とされる。
【００１３】
地板４０は、ムーブメント１０において、文字板５０側に配置されている。てんぷ受け３０は、ムーブメント１０において、機械式時計の裏蓋側に配置されている。
【００１４】
ここで、地板４０は、受け石４３と、貫通したホゾ穴が形成された穴石４２とを備えている。穴石４２のホゾ穴には、てん真２２の一端２２ａのホゾが挿入されて、穴石４２が、てん真２２の、軸に直交する方向（半径方向）の動きを規制している。受け石４３は、貫通したホゾ穴から突出したてん真２２の一端２２ａの延長上に配置されている。
【００１５】
てんぷ受け３０も、てんぷ受け本体３１に、受け石３３と、貫通したホゾ穴が形成された穴石３２とを備えている。穴石３２のホゾ穴には、てん真２２の他端２２ｂのホゾが挿入されて、穴石３２が、てん真２２の、軸に直交する方向（半径方向）の動きを規制している。受け石３３は、貫通したホゾ穴から突出したてん真２２の他端２２ａの延長上に配置されている。
【００１６】
穴石３２，４２はてん真２２を回転自在に支持している。受け石４３と受け石３３との間は、てん真２２の長さよりもわずかに長い寸法に設定されている。これにより、２つの受け石３３，４３が、てん真２２の、軸方向の動きを規制している。
【００１７】
てんぷ受け本体３１は、図１，２に示すように、中心部から所定方向に偏った部分である一端部３１ａのみが、ねじ３５によって、動かない地板４０に固定されている。つまり、てんぷ受け本体３１は、一端部３１ａが固定された片持ち梁のように地板４０に支持されている。
【００１８】
また、穴石４２及び受け石４３は、てんぷ受け本体３１の中心部を挟んで、一端部３１ａとは反対側に配置されている。したがって、このムーブメント１０を備えている機械式時計に、比較的大きな衝撃力が入力すると、片持ちのてんぷ受け本体３１が、ねじ３５で固定された一端部３１ａを中心として、てん真２２の軸方向に撓む。
【００１９】
ここで、例えば、ダイバーズ・ウォッチのように、使用環境により、比較的大きな衝撃の入力が想定されている時計の場合、そのような比較的大きな衝撃力が実際に入力されると、てんぷ受けの撓み量が大きくなる。このため、従来の、本考案が適用されないてんぷ受けの支持構造の場合、受け石４３と受け石３３との間の距離が大きくなって(間隔が広がって)、てん真２２がホゾ穴から外れる恐れがある。
【００２０】
これに対して、本実施形態のてんぷ受け３０の支持構造は、てんぷ受け本体３１の、ねじ３５で固定された一端部３１ａよりも、てん真２２を支持する穴石４２及び受け石４３が配置された部分の撓み量が規制されている。
【００２１】
すなわち、てんぷ受け本体３１には、固定端である一端部３１ａよりも、てん真２２を支持する穴石４２及び受け石４３が配置された部分に近い位置に規制部３１ｂが形成されている。この規制部３１ｂは、てんぷ受け本体３１における穴石３２及び受け石３３を挟んで一端部３１ａとは反対側（穴石３２及び受け石３３を中心として、一端部３１ａと規制部３１ｂとが、角度９０［度］を超える角度だけ離れた側）の領域に位置する。
【００２２】
規制部３１ｂは、てんぷ受け本体３１を、一端部３１ａを固定端とする片持ち梁とみなした場合、てんぷ受け本体３１が撓んだときのてん真を支持する部分（穴石３２及び受け石３３）における撓み量が、てん真２２がてんぷ受け３０及び地板４０の両方から外れることのない範囲となるように、てんぷ受けの撓みを規制する。そして、この規制部３１ｂは、図３に示すように、回転錘８０の錘かな８２の裏側（裏蓋側ではなくムーブメント１０側）に配置されている。
【００２３】
回転錘８０は、ムーブメント１０と裏蓋との間に配置されている。回転錘８０は、地板４０側に設けられた文字板５０の中心に対応する回転中心を有する。回転錘８０は、中心部８２と腕部８１と錘部８３とを備えている。
【００２４】
中心部８２は、回転中心回りに形成された円筒状のボス８２ａとボス８２ａの外側に形成された錘かな８２ｂとを備えている。錘部８３は、回転中心から所定の距離だけ離れた位置に配置され、円弧状に形成されている。腕部８１は、中心部８２と錘部８３とを連結している。
【００２５】
回転錘８０が、回転中心回りに回転することによって、中心部８２に設けられた錘かな８２ｂも一体的に回転する。錘かな８２は、ムーブメント１０の輪列機構に噛み合っていて、錘かな８２が回転することにより、輪列機構を介して、機械式時計の動力源であるゼンマイを巻き上げる。
【００２６】
規制部３１ｂは、錘かな８２ｂとの間に、図３に示すように、時計の厚さ方向に沿って所定の隙間を以て、錘かな８２よりも文字板５０側に配置されている。この所定の隙間は、例えば、２００［μｍ］程度であるが、所定の隙間の寸法は２００［μｍ］より大きくてもよいし、小さくてもよい。
【００２７】
すなわち、規制部３１ｂの変位量がこの所定の隙間の寸法となるように、てんぷ受け本体３１が撓んだ状態において、てん真２２がいずれか一方の穴石３２，４２のホゾ穴から抜けることがなければよい。
【００２８】
なお、所定の隙間は、回転錘８０が回転したときの中心部８２のブレ（傾きの変化）によっても、錘かな８２ｂと、撓んでいない状態の規制部３１ｂとが接触しない程度の寸法を確保することが好ましい。
【００２９】
以上のように構成された本実施形態の機械式時計におけるてんぷ受け３０の支持構造によれば、片持ちのてんぷ受け３０が、衝撃力の入力等により撓んだとき、規制部３１ｂも撓んで、規制部３１ｂは錘かな８２ｂに突き当たる。
【００３０】
規制部３１ｂは、錘かな８２ｂに突き当たると、それ以上撓まないので、規制部３１ｂの最大の撓み量は、てんぷ受け３０が撓んでいないときの、規制部３１ｂと錘かな８２ｂとの間に設定されている所定の隙間の寸法となる。
【００３１】
そして、規制部３１ｂの撓み量が所定の隙間の寸法となるときは、片持ちのてんぷ受け３０が大きく撓むのを防止又は抑制する。つまり、規制部３１ｂの撓み量が所定の隙間の寸法となるときのてんぷ受け３０の撓みは、穴石３２及び受け石３３が配置された部分において、てん真２２がいずれか一方の穴石３２，４２のホゾ穴から抜けることのない撓み量に規制される。
【００３２】
したがって、本実施形態のてんぷ３０の支持構造は、大きな衝撃力の入力があった場合も、てんぷ３０が、穴石３２，４２で支持されている正常な状態ではなくなること（例えば、てん真がホゾ穴から外れて、てん真が傾くこと）が無く、てんぷ３０を正常に動作させることができる。
【００３３】
また、仮に、てん真がホゾ穴から外れるとしても、その外れる量はわずかであるため、ホゾ穴から外れたホゾ（てん真の端部）は元の状態に戻り、わずかに外れた際に生じるホゾの損傷を防止又は低減することができる。これにより、アンクルのハコから振り石が外れるハコ外れや振り石が外れ、又はホゾが潰れるホゾ潰れ等の発生を防止し、機械式時計の計時機能を正常に保つことができる。
【００３４】
また、本実施形態のてんぷ受け３０の支持構造は、てんぷ受け本体３１の規制部３１ｂが、てん真２２を支持する穴石３２及び受け石３３を挟んで、固定端である一端部３１ａとは反対側（穴石３２及び受け石３３を中心として、一端部３１ａと規制部３１ｂとが、角度９０［度］を超える角度だけ離れた側）の領域に形成されている。このため、穴石３２及び受け石３３における撓み量を、規制部３１ｂが撓み得る最大の撓み量（規制部３１ｂと錘かな８２ｂとの間の隙間の寸法）よりも常に小さくすることができる。
【００３５】
本考案に係るてんぷ受けの支持構造は、規制部３１ｂが、てん真２２を支持する穴石３２及び受け石３３を挟んで、固定端である一端部３１ａとは同じ側（穴石３２及び受け石３３を中心として、一端部３１ａと規制部３１ｂとが、角度９０［度］以内の角度だけ離れた側）の領域に形成されていてもよい。この場合も、規制部３１ｂは、一端部３１ａよりも、穴石３２及び受け石３３に近い位置に配置されている。
【００３６】
このように配置された支持構造によれば、穴石３２及び受け石３３における撓み量は、規制部３１ｂが撓み得る最大の撓み量（規制部３１ｂと錘かな８２ｂとの間の隙間の寸法）よりも大きくなるが、規制部３１ｂと錘かな８２ｂとの間の隙間の寸法をより小さく設定することにより。てん真２２がいずれか一方の穴石３２，４２のホゾ穴から抜けることのない撓み量に抑制することができる。
【００３７】
また、本実施形態のてんぷ受け３０の支持構造は、てんぷ受け本体３１の一端部３１ａが、機械式時計の外周側に配置されていて、てんぷ受け本体３１の他端部の近くに、穴石３２及び受け石３３が配置されている。このため、他端部側に形成された規制部３１ｂは、機械式時計の裏蓋側から見た平面視において、機械式時計の中心部側に配置され、既存の錘かな８２ｂで覆う配置（錘かなの裏側への配置）とすることができる。
【００３８】
したがって、機械式時計の中心部側に配置される規制部３１ｂを覆う部材を、新たに設ける必要がなく、そのような部材を新たなに設ける場合に比べて、コストを低減することができる。
【００３９】
また、本実施形態のてんぷ受け３０の支持構造は、機械式時計の中心部側に配置された錘かな８２ｂで覆う配置であるが、機械式時計の中心部側に配置された部材であればよく、錘かな８２ｂに限定されるものではない。
【００４０】
ただし、回転錘８０は、ムーブメント１０の厚さ方向の裏蓋側において、最も外側に配置されているため、錘かな８２ｂにより規制部３１ｂを覆う配置は、回転錘８０をムーブメント１０に組み付ける最後の工程において規制部３１ｂと錘かな８２ｂとの間の隙間の寸法を調整することができるため、組み立て作業を効率的に行うことができる。
【００４１】
本実施形態のてんぷ受け３０の支持構造においては、規制部３１ｂ及び規制部３１ｂが突き当たる錘かな８２ｂのうち少なくとも一方（規制部３１ｂ又は錘かな８２ｂ）の、他方（錘かな８２ｂ又は規制部３１ｂ）に突き当たる面（端面）に、弾性部材を配置した構成とすることもできる。
【００４２】
このように、規制部３１ｂ及び錘かな８２ｂのうち少なくとも一方の面に弾性部材を配置した構成は、規制部３１ｂと錘かな８２ｂとが突き当たるときの衝撃力を弾性部材が緩和するため、規制部３１ｂと錘かな８２ｂとが突き当たったことにより損傷を防止又は抑制することができる。そのような弾性部材としては、ゴムやシリコン、フッ素樹脂やその他の樹脂等を適用することができる。
【００４３】
本実施形態のてんぷ受け３０の支持構造においては、てんぷ受け３０と地板４０とでてんぷ２０を支持するものを例示したが、本考案に係る機械式時計におけるてんぷの支持構造は、てんぷ受けと地板とでてんぷを支持するものに限定されない。すなわち、本考案に係るてんぷの支持構造は、てんぷ受けとともにてんぷを支持する部材は地板に限定されず、地板以外のてんぷを支持する部材であってもよい。
【００４４】
また、本実施形態のてんぷ受け３０の支持構造においては、てんぷ受け３０の一端部３１ａは、地板４０にねじ３５により固定された構造であるが、一端部３１ａが固定される部材は地板４０に限定されず、他の動かない部材であってもよい。
【００４５】
また、てんぷ受け３０の一端部３１ａを、地板４０等の動かない部材に固定するものは、ねじ３５に限定されるものではなく、例えば、嵌め合いの構造による固定であってもよいし、接着等による固定であってもよい。
【符号の説明】
【００４６】
２２    てん真
２２ｂ  一端
３０    てんぷ受け
３１    てんぷ受け本体
３１ａ  一端部
３１ｂ  規制部
３２    穴石
３３    受け石
８０    回転錘
８３    錘部
【図１】
0003230221.tif 000003
【図２】
0003230221.tif 000004
【図３】
0003230221.tif 000005